(57)【特許請求の範囲】
【請求項１】
無線周波数デバイスペアリングのための方法であって、
第１の無線周波数デバイスが、ユーザによって入力されたペアリング指示の受信後、発見要求メッセージを少なくとも１つの第２の無線周波数デバイスに送信する送信ステップと、
前記第１の無線周波数デバイスが、前記少なくとも１つの第２の無線周波数デバイスによって返信された発見応答メッセージを受信する受信ステップと、
前記第１の無線周波数デバイスが、第１のペアリング要求メッセージを、前記少なくとも１つの第２の無線周波数デバイスの中の、対象となる第２の無線周波数デバイスに送信する送信ステップと、
前記第１の無線周波数デバイスが、前記対象となる第２の無線周波数デバイスによって返信された第１のペアリング応答メッセージを受信する受信ステップと、
前記第１の無線周波数デバイスが、前記対象となる第２の無線周波数デバイスによって表示されたインターフェイス情報に従って前記ユーザによって入力されたボタン指示の受信後、第２のペアリング要求メッセージを前記対象となる第２の無線周波数デバイスに送信する送信ステップであり、前記第２のペアリング要求メッセージは、前記ボタン指示に対応するボタン情報を含み、前記インターフェイス情報は、前記ユーザによって入力される必要のあるボタンについてのプロンプトを与えるプロンプト情報である、送信ステップと、
前記第１の無線周波数デバイスが、前記対象となる第２の無線周波数デバイスによって返信され、前記ボタン情報と前記インターフェイス情報とを整合した結果である確認結果を含む第２のペアリング応答メッセージを受信する受信ステップと、もし、前記確認結果が、前記ボタン情報と前記インターフェイス情報が成功裏に整合することを示すならば、前記対象となる第２の無線周波数デバイスとキーを交換し、それによって、前記対象となる第２の無線周波数デバイスとのペアリングを完了する完了ステップと、
を備える方法。
【請求項２】
請求項１に記載の方法であって、複数の第２の無線周波数デバイスが存在するとき、前記複数の第２の無線周波数デバイスによって返信された発見応答メッセージの受信後、
該方法は、前記第１の無線周波数デバイスが、前記対象となる第２の無線周波数デバイスを決定する決定ステップ：すなわち、前記第１の無線周波数デバイスが、第２の無線周波数デバイスのメーカ番号と、前記第２の無線周波数デバイスによってサポートされる無線周波数デバイスの能力のリストとを整合することにより１つの第２の無線周波数デバイスを前記対象となる第２の無線周波数デバイスとして選択し、前記メーカ番号と前記リストは、各発見応答メッセージの中に含まれ、前記の選択された第２の無線周波数デバイスは、前記第１の無線周波数デバイスに整合するメーカ番号とリストとを持つとともに、最も強い信号強度で発見応答メッセージを返信し、前記第１の無線周波数デバイスは、前記少なくとも１つの第２の無線周波数デバイスとペアリングを実行する無線周波数デバイスである、決定ステップ、をさらに備える、
方法。
【請求項３】
請求項１に記載の方法であって、
前記少なくとも１つの第２の無線周波数デバイスの中の前記対象となる第２の無線周波数デバイスへの、前記第１のペアリング要求メッセージの送信後、もし、前記対象となる第２の無線周波数デバイスによって返信された第２のペアリング応答メッセージであり、前記ペアリングの結果である確認結果を含む、第２のペアリング応答メッセージが受信され、前記確認結果が、前記ペアリングの成功を示すならば、前記第１の無線デバイスが、前記対象となる第２の無線周波数デバイスと前記キーを交換し、それによって、前記対象となる第２の無線周波数デバイスとのペアリングを完了するステップをさらに備える、
方法。
【請求項４】
請求項１に記載の方法であって、前記対象となる第２の無線周波数デバイスによって返信された前記第１のペアリング応答メッセージの受信後、該方法は、
前記第１の無線デバイスが、タイマを開始し、もし、前記ユーザによって入力された前記ボタン指示が、所定期間の時間内に受信されないならば、ペアリング処理を抜け出すステップ、をさらに備える
方法。
【請求項５】
無線周波数デバイスペアリングのための方法であって、
第２の無線周波数デバイスが、第１の無線周波数デバイスによって送信された発見要求メッセージの受信後、発見応答メッセージを前記第１の無線周波数デバイスに返信する返信ステップと、
前記第２の無線周波数デバイスが、前記第１の無線周波数デバイスによって送信された第１のペアリング要求メッセージの受信後、第１のペアリング応答メッセージを前記第１の無線周波数デバイスに返信し、インターフェイス情報を表示する返信表示ステップであり、前記インターフェイス情報は、ユーザによって入力される必要のあるボタンについてのプロンプトを与えるプロンプト情報である、返信表示ステップと、
前記第２の無線周波数デバイスが、前記第１の無線周波数デバイスによって送信された第２のペアリング要求メッセージを受信する受信ステップであり、前記第２のペアリング要求メッセージは、前記インターフェイス情報に従って前記ユーザによって入力されたボタン指示に対応するボタン情報を含む、受信ステップと、
もし、前記ボタン情報と前記インターフェイス情報が成功裏に整合するならば、前記第２の無線周波数デバイスが、前記第１の無線周波数デバイスに、前記ボタン情報と前記インターフェイス情報とを整合した結果である確認結果を含む第２のペアリング応答メッセージを返信する返信ステップであり、前記確認結果は、前記ボタン情報と前記インターフェイス情報が成功裏に整合することを示す、返信ステップと、
前記第２の無線周波数デバイスが、前記第１の無線周波数デバイスとキーを交換し、ユーザ端にペアリングの成功をプロンプトするステップと、を備える方法。
【請求項６】
請求項５に記載の方法であって、前記第１の無線周波数デバイスによって送信された前記第１のペアリング要求メッセージの受信後、該方法は、
もし、前記第２の無線周波数デバイスが前記第１の無線周波数デバイスのペアリング情報を格納していると判定されるならば、前記第２の無線周波数デバイスが、前記第１の無線周波数デバイスに、前記ペアリングの結果である確認結果を含む第２のペアリング応答メッセージを返信する返信ステップであり、前記確認結果は、前記ペアリングの成功を示す、返信ステップと、前記第１の無線周波数デバイスと前記キーを交換する交換ステップと、前記ユーザ端に前記ペアリングの成功をプロンプトするプロンプトステップであり、前記第２の無線周波数デバイスは、前記第１の無線周波数デバイスとペアリングを実行する無線周波数デバイスである、プロンプトステップと、をさらに備え、
前記ペアリング情報は、前記第１の無線周波数デバイスに対応するペアリング情報であり、前記第２の無線周波数デバイスと前記第１の無線周波数デバイスが成功裏にペアリングを一度実行後、前記第２の無線周波数デバイスの中に格納される、
方法。
【請求項７】
請求項５に記載の方法であって、前記第１のペアリング応答メッセージを前記第１の無線周波数デバイスに返信後、該方法は、
前記第２の無線周波数デバイスが、タイマを開始し、もし、前記第１の無線周波数デバイスによって送信された前記第２のペアリング要求メッセージであり、前記インターフェイス情報に従って前記ユーザによって入力された前記ボタン指示に対応する前記ボタン情報を含む、前記第２のペアリング要求メッセージが、所定期間の時間内に受信されないならば、ペアリング処理を抜け出すステップをさらに備える、
方法。
【請求項８】
無線周波数デバイスであって、
ユーザによって入力されたペアリング指示を受信するように構成されたユーザ指示受信部と、
前記ユーザ指示受信部が、前記ユーザによって入力された前記ペアリング指示を受信後、発見要求メッセージを、少なくとも１つの第２の無線周波数デバイスに送信するように構成された発見要求送信部と、
前記少なくとも１つの第２の無線周波数デバイスによって返信された発見応答メッセージを受信するように構成された発見応答受信部と、
前記少なくとも１つの第２の無線周波数デバイスの中の、対象となる第２の無線周波数デバイスに、第１のペアリング要求メッセージを送信するように構成された第１のペアリング要求送信部と、
前記対象となる第２の無線周波数デバイスによって返信された第１のペアリング応答メッセージを受信するように構成された第１のペアリング応答受信部と、
前記対象となる第２の無線周波数デバイスによって表示されたインターフェイス情報に従って前記ユーザによって入力されたボタン指示の受信後、第２のペアリング要求メッセージを前記対象となる第２の無線周波数デバイスに送信するように構成された第２のペアリング要求送信部であり、前記第２のペアリング要求メッセージは、前記ボタン指示に対応するボタン情報を含み、前記インターフェイス情報は、前記ユーザによって入力される必要のあるボタンについてのプロンプトを与えるプロンプト情報である、第２のペアリング要求送信部と、
前記対象となる第２の無線周波数デバイスによって返信され、前記ボタン情報と前記インターフェイス情報とを整合した結果である確認結果を含む、第２のペアリング応答メッセージを受信するように構成された第２のペアリング応答受信部と、
もし、前記確認結果が、前記ボタン情報と前記インターフェイス情報が成功裏に整合することを示すならば、前記対象となる第２の無線周波数デバイスとキーを交換し、それによって前記対象となる第２の無線周波数デバイスとのペアリングを完了するように構成された第１のキー交換部と、を備える無線周波数デバイス。
【請求項９】
請求項８に記載の無線周波数デバイスであって、前記無線周波数デバイスは第１の無線周波数デバイスであり、前記発見応答受信部は、複数の第２の無線周波数デバイスが存在するとき、また、前記複数の第２の無線周波数デバイスによって返信された発見応答メッセージが受信されるとき、第２の無線周波数デバイスのメーカ番号と、前記第２の無線周波数デバイスによってサポートされる無線周波数デバイスの能力のリストとを整合することにより、１つの第２の無線周波数デバイスを前記対象となる第２の無線周波数デバイスとして選択するようにさらに構成され、前記メーカ番号と前記リストは、各発見応答メッセージの中に含まれ、前記の選択された第２の無線周波数デバイスは、前記第１の無線周波数デバイスと整合するメーカ番号とリストとを持つとともに、最も強い信号強度で発見応答メッセージを返信する、
無線周波数デバイス。
【請求項１０】
請求項８に記載の無線周波数デバイスであって、前記第２のペアリング応答受信部は、前記第１のペアリング要求送信部が前記第１のペアリング要求メッセージを、前記少なくとも１つの第２の無線周波数デバイスの中の前記対象となる第２の無線周波数デバイスに送信後、前記対象となる第２の無線周波数デバイスによって返信された第２のペアリング応答メッセージであり、前記ペアリングの結果である確認結果を含む、第２のペアリング応答メッセージを受信するようにさらに構成され、前記確認結果は前記ペアリングの成功を示し、
前記第１のキー交換部は、前記第２のペアリング応答受信部による、前記ペアリングの成功を示す前記確認結果を含む前記第２のペアリング応答メッセージの受信後、前記対象となる第２の無線周波数デバイスと前記キーを交換し、それによって前記対象となる第２の無線周波数デバイスとの前記ペアリングを完了するようにさらに構成されている、
無線周波数デバイス。
【請求項１１】
請求項８に記載の無線周波数デバイスであって、
前記対象となる第２の無線周波数デバイスによって返信された第１のペアリング応答メッセージの受信後、タイマを開始するように構成された第１のタイミング部をさらに備え、もし、所定期間の時間内に前記ユーザによって入力されたボタン指示が受信されないならば、ペアリング処理を抜け出す、
無線周波数デバイス。
【請求項１２】
無線周波数デバイスであって、
第１の無線周波数デバイスによって送信された発見要求メッセージを受信するように構成された発見要求受信部と、
発見応答メッセージを前記第１の無線周波数デバイスに返信するように構成された発見応答返信部と、
前記第１の無線周波数デバイスによって送信された第１のペアリング要求メッセージを受信するように構成された第１のペアリング要求受信部と、
前記第１のペアリング要求受信部による、前記第１の無線周波数デバイスによって送信された前記第１のペアリング要求メッセージの受信後、インターフェイス情報を表示するように構成された表示部であり、前記インターフェイス情報は、ユーザによって入力される必要のあるボタンについてのプロンプトを与えるプロンプト情報である、表示部と、
第１のペアリング応答メッセージを前記第１の無線周波数デバイスに返信するように構成された第１のペアリング応答返信部と、
前記第１の無線周波数デバイスによって送信された第２のペアリング要求メッセージを受信するように構成された第２のペアリング要求受信部であり、前記第２のペアリング要求メッセージは、前記インターフェイス情報に従って前記ユーザによって入力されたボタン指示に対応するボタン情報を含む、第２のペアリング要求受信部と、
もし、前記ボタン情報と前記インターフェイス情報が成功裏に整合すると判定されるならば、前記第１の無線周波数デバイスに、前記ボタン情報と前記インターフェイス情報とを整合した結果である確認結果を含む第２のペアリング応答メッセージを返信するように構成された第２のペアリング応答返信部であり、前記確認結果は、前記ボタン情報と前記インターフェイス情報が成功裏に整合することを示す、第２のペアリング応答返信部と、
前記第２のペアリング応答返信部による、前記ボタン情報と前記インターフェイス情報が成功裏に整合することを示す前記確認結果を含む前記第２のペアリング応答メッセージの返信後、前記第１の無線周波数デバイスとキーを交換し、ユーザ端にペアリングの成功をプロンプトするように構成された第２のキー交換部と、を備える無線周波数デバイス。
【請求項１３】
請求項１２に記載の無線周波数デバイスであって、
前記第１のペアリング応答返信部による、前記第１のペアリング応答メッセージの、前記第１の無線周波数デバイスへの返信後、タイマを開始するように構成された第２のタイミング部であり、もし、所定期間の時間内に、前記第２のペアリング要求受信部が、前記第１の無線周波数デバイスによって送信され、前記インターフェイス情報に従って前記ユーザによって入力された前記ボタン指示に対応する前記ボタン情報を含む前記第２のペアリング要求メッセージを受信しないならば、ペアリング処理を抜け出す、第２のタイミング部をさらに備える、
無線周波数デバイス。
【請求項１４】
請求項１２に記載の無線周波数デバイスであって、
前記第１のペアリング要求受信部による、前記第１の無線周波数デバイスによって送信された前記第１のペアリング要求メッセージの受信後、前記無線周波数デバイスが、前記第１の無線周波数デバイスのペアリング情報を格納するか否かを判定するように構成された判定部をさらに備える、
無線周波数デバイス。
【請求項１５】
請求項１４に記載の無線周波数デバイスであって、
前記第２のペアリング応答返信部は、前記判定部が、前記無線周波数デバイスが前記第１の無線周波数デバイスの前記ペアリング情報を格納していると判定するとき、前記第１の無線周波数デバイスに、前記ペアリングの結果である確認結果を含む第２のペアリング応答メッセージを返信するようにさらに構成され、前記確認結果は前記ペアリングの成功を示し、
前記第２のキー交換部は、前記第２のペアリング応答返信部による、前記ペアリングの成功を示す前記確認結果を含む前記第２のペアリング応答メッセージの返信後、前記第１の無線周波数デバイスと前記キーを交換し、前記ユーザ端に前記ペアリングの成功をプロンプトするようにさらに構成され、
前記表示部は、前記無線周波数デバイスが前記第１の無線周波数デバイスの前記ペアリング情報を格納していないと前記判定部が判定するとき、前記インターフェイス情報を表示するようにさらに構成された、
無線周波数デバイス。
【請求項１６】
無線周波数デバイスペアリングのためのシステムであって、請求項８乃至１１のいずれか１項に記載の第１の無線周波数デバイスと、請求項１２乃至１５のいずれか１項に記載の第２の無線周波数デバイスとを備える、システム。
【請求項１７】
プログラムを記録したコンピュータ可読記憶媒体であって、上記プログラムは、請求項１乃至７のいずれか１項に記載の方法をコンピュータに実行させる、コンピュータ可読記憶媒体。
【発明の詳細な説明】
【技術分野】
【０００１】
本特許出願は、通信分野に関し、特に、無線周波数デバイスのペアリングのための方法、デバイスおよびシステムに関する。
【背景技術】
【０００２】
電子技術の発展に伴い、電子製品のための制御手段は、赤外線放射（Infrared  Radiation、略してＩＲ）制御から無線周波数（Radio  Frequency、略してＲＦ）制御へと次第に発展してきている。ＲＦ制御には、動作における高い柔軟性、双方向の特性、設計における高い柔軟性、および、高いデータ伝送レート等の多くのメリットがある。ＲＦ４ＣＥアライアンスとＺｉｇＢｅｅアライアンスは協力して、ＺｉｇＢｅｅ／ＩＥＥＥ８０２．１５．４プロトコルに基づくＲＦ４ＣＥ（Radio  Frequency  for  Consumer  Electronics、家庭用電化製品のための無線周波数）技術標準、すなわち、家庭用器具の制御のための無線周波数標準を共同開発している。ＲＦ４ＣＥ技術は、操作信頼性の向上、伝送距離と信号抗干渉能力の増加、障害物によって影響されない信号伝送、等のメリットを持っている。
【０００３】
例えばＲＦリモートコントローラ等のＲＦデバイスが使用されるとき、ＲＦリモートコントローラと被コントロールデバイスとの間のペアリング動作が行われる必要がある。従来技術において、被コントロールデバイス上にペアリングボタンが設けられていないときは、ＲＦリモートコントローラと被コントロールデバイスがペアになった後、ペアリング結果を確認するためにプライベートメッセージを使用する必要がある。
【０００４】
図１に示されるように、ＲＦリモートコントローラと被コントロールデバイスとの間の既存のペアリング処理は以下のものを含む：
【０００５】
Ｓ１０１：ユーザのボタン押下により生成されるペアリング指示を受信後、ＲＦリモートコントローラは、発見要求メッセージを被コントロールデバイスに送信する。
【０００６】
Ｓ１０２：被コントロールデバイスは、発見応答メッセージをＲＦリモートコントローラに返信する。
【０００７】
Ｓ１０３：ＲＦリモートコントローラは、ペアリング要求メッセージを被コントロールデバイスに送信する。
【０００８】
Ｓ１０４：ＲＦリモートコントローラと被コントロールデバイスは、キーを交換する。
【０００９】
Ｓ１０５：被コントロールデバイスは、ペアリング応答メッセージをＲＦリモートコントローラに返信する。
【００１０】
Ｓ１０６：被コントロールデバイスは、開始確認要求をＲＦリモートコントローラに送信し、インターフェイス情報をユーザに表示する。ここで、インターフェイス情報は、ユーザによって入力される必要のあるボタンについてのプロンプトを与えるプロンプト情報である。
【００１１】
Ｓ１０７：ユーザは、被コントロールデバイスによって表示されたインターフェイス情報に従ってＲＦリモートコントローラ上の対応するボタンを押す。
【００１２】
Ｓ１０９：被コントロールデバイスは、確認結果をＲＦリモートコントローラに返信する。
【００１３】
図１に示されたペアリング処理において、ＲＦリモートコントローラと被コントロールデバイスとの間で、ステップＳ１０１からＳ１０５を通してペアリングが行われる。ステップＳ１０１からＳ１０５における発見要求メッセージ、発見応答メッセージ、ペアリング要求メッセージおよびペアリング応答メッセージは、すべてＲＦ４ＣＥ標準ペアリング処理における標準メッセージである。ステップＳ１０６からＳ１０９を通して、ＲＦリモートコントローラと被コントロールデバイスとの間でペアリング結果が確認される。そして、ステップＳ１０６からＳ１０９における開始確認要求、ユーザボタン情報および確認結果は、すべてプライベートメッセージであり、ＲＦ４ＣＥ標準の仕様要求を満たさない。
【発明の概要】
【発明が解決しようとする課題】
【００１４】
本発明の実施形態は、無線周波数デバイスのペアリングであり、該無線周波数デバイスのペアリングを通して、ＲＦ４ＣＥ仕様要求を満たすペアリング結果確認が無線周波数デバイス間で実行される、無線周波数デバイスのペアリングのための方法、デバイスおよびシステムを提供する。
【００１５】
前述の目的を達成するために、本発明の実施形態は以下の技術的解決策を採用する。
【課題を解決するための手段】
【００１６】
１側面において、無線周波数デバイスのペアリングの方法が提供され、該方法は：
ユーザによって入力されたペアリング指示を受信後、発見要求メッセージを少なくとも１つの第２の無線周波数デバイスに送信する送信ステップと、
少なくとも１つの第２の無線周波数デバイスによって返信された発見応答メッセージを受信する受信ステップと、
第１のペアリング要求メッセージを、少なくとも１つの第２の無線周波数デバイスの中の、対象となる第２の無線周波数デバイスに送信する送信ステップと、
対象となる第２の無線周波数デバイスによって返信された第１のペアリング応答メッセージを受信する受信ステップと、
対象となる第２の無線周波数デバイスによって表示されたインターフェイス情報に従ってユーザによって入力されたボタン指示を受信後、第２のペアリング要求メッセージを対象となる第２の無線周波数デバイスに送信する送信ステップであり、第２のペアリング要求メッセージはボタン指示に対応するボタン情報を含み、インターフェイス情報は、ユーザによって入力されることが要求されるボタンについてのプロンプトを与えるプロンプト情報である、送信ステップと、
対象となる第２の無線周波数デバイスから返信された、そして確認結果を含む、第２のペアリング応答メッセージを受信する受信ステップであり、もし、確認結果が、ボタン情報とインターフェイス情報とが成功裏に整合することを示すならば、対象となる無線周波数デバイスとキーを交換し、それによって対象となる無線周波数デバイスとのペアリングを完了する、受信ステップと、を含む。
【００１７】
１側面において、無線周波数デバイスのペアリングの方法が提供され、該方法は：
第１の無線周波数デバイスによって送信された発見要求メッセージの受信後、発見応答メッセージを第１の無線周波数デバイスに返信する返信ステップと、
第１の無線周波数デバイスによって送信された第１のペアリング要求メッセージの受信後、第１のペアリング応答メッセージを第１の無線周波数デバイスに返信し、インターフェイス情報を表示するステップであり、インターフェイス情報は、ユーザによって入力されることが要求されるボタンについてのプロンプトを与えるプロンプト情報である、ステップと、
第１の無線周波数デバイスによって送信された第２のペアリング要求メッセージを受信する受信ステップであり、第２のペアリング要求メッセージは、インターフェイス情報に従ってユーザによって入力されたボタン指示に対応するボタン情報を含む、受信ステップと、
もし、ボタン情報とインターフェイス情報とが成功裏に整合すると決定されるならば、第１の無線周波数デバイスに対して、確認結果を含む第２のペアリング応答メッセージを返信する返信ステップであり、確認結果は、ボタン情報とインターフェイス情報とが成功裏に整合することを示す、返信ステップと、
第１の無線周波数デバイスとキーを交換し、ペアリングの成功をユーザ端にプロンプトするステップと、を含む。
【００１８】
１側面において、無線周波数デバイスが提供され、該無線周波数デバイスは：
ユーザによって入力されたペアリング指示を受信するように構成されたユーザ指示受信部と、
ユーザによって入力されたペアリング指示をユーザ指示受信部が受信後、発見要求メッセージをすくなくとも１つの第２の無線周波数デバイスに送信するように構成された発見要求送信部と、
少なくとも１つの第２の無線周波数デバイスによって返信された発見応答メッセージを受信するように構成された発見応答受信部と、
第１のペアリング要求メッセージを、少なくとも１つの第２の無線周波数デバイスの中の対象となる第２の無線周波数デバイスに送信するように構成された第１のペアリング要求送信部と、
対象となる第２の無線周波数デバイスによって返信された第１のペアリング応答メッセージを受信するように構成された第１のペアリング応答受信部と、
対象となる第２の無線周波数デバイスによって表示されたインターフェイス情報に従ってユーザによって入力されたボタン指示の受信後、第２のペアリング要求メッセージを対象となる第２の無線周波数デバイスに送信するように構成された第２のペアリング要求送信部であり、第２のペアリング要求メッセージは、ボタン指示に対応するボタン情報を含み、インターフェイス情報は、ユーザによって入力される必要のあるボタンについてのプロンプトを与えるプロンプト情報である、第２のペアリング要求送信部と、
対象となる第２の無線周波数デバイスから返信され、確認結果を含む、第２のペアリング応答メッセージを受信するように構成された第２のペアリング応答受信部と、
もし、確認結果が、ボタン情報とインターフェイス情報とが成功裏に整合することを示すならば、対象となる第２の無線周波数デバイスとキーを交換し、それによって、対象となる第２の無線周波数デバイスとのペアリングを完了するように構成された第１のキー交換部と、を含む。
【００１９】
１側面において、無線周波数デバイスが提供され、該無線周波数デバイスは：
第１の無線周波数デバイスによって送信された発見要求メッセージを受信するように構成された発見要求受信部と、
発見応答メッセージを第１の無線周波数デバイスに返信するように構成された発見応答返信部と、
第１の無線周波数デバイスによって送信された第１のペアリング要求メッセージを受信するように構成された第１のペアリング要求受信部と、
第１の無線周波数デバイスによって送信された第１のペアリング要求メッセージを、第１のペアリング要求受信部が受信後、インターフェイス情報を表示するように構成された表示部であり、インターフェイス情報は、ユーザによって入力される必要があるボタンについてのプロンプトを与えるプロンプト情報である、表示部と、
第１のペアリング応答メッセージを第１の無線周波数デバイスに返信するように構成された第１のペアリング応答返信部と、
第１の無線周波数デバイスによって送信された第２のペアリング要求メッセージを受信するように構成された第２のペアリング要求受信部と、
もし、ボタン情報とインターフェイス情報とが成功裏に整合するならば、第１の無線周波数デバイスに、確認結果を含む第２のペアリング応答メッセージを返信するように構成された第２のペアリング応答返信部であり、確認結果が、ボタン情報とインターフェイス情報とが成功裏に整合する、第２のペアリング応答返信部と、
ボタン情報とインターフェイス情報が成功裏に整合することを示す確認結果を含む第２のペアリング応答メッセージを第２のペアリング応答返信部が返信後、第１の無線周波数デバイスとキーを交換し、ペアリングの成功をユーザ端に伝えるように構成された第２のキー交換部と、を含む。
【００２０】
１側面において、無線周波数デバイスのペアリングのためのシステムが提供され、該システムは、上述の第１の無線周波数デバイスと上述の第２の無線周波数デバイスと、を含む。
【００２１】
本発明の実施形態において提供される、無線周波数デバイスのペアリングのための方法、デバイスおよびシステムにおいて、ＲＦ４ＣＥ仕様書を満たすペアリング要求メッセージ（第１および第２のペアリング要求メッセージを含む）およびペアリング応答メッセージ（第１および第２のペアリング応答メッセージを含む）が、ペアリングを要求し、ペアリング結果を確認するために使用される。これにより、従来技術におけるプライベートメッセージの使用が避けられ、従って、無線周波数デバイス製品の標準化にとって有益である。ペアリングボタンの無い無線周波数デバイスのために、ペアリングセキュリティもまた改善することができる。
【図面の簡単な説明】
【００２２】
本発明の実施形態における、または、従来技術における、技術的解決策をより明確に示すために、実施形態または従来技術を説明するために要求される添付図面が、以下簡単に導入される。明らかに、以下の説明における添付図面は、単に本発明の実施形態のいくつかを示すに過ぎず、当業者は、創造的努力を要することなく、添付図面に従って他の図面を取得することができる。
【００２３】
【図１】従来技術における無線周波数リモートコントローラペアリングのための方法の方法フローチャートである。
【００２４】
【図２】本発明の実施形態に従った、無線周波数デバイスのペアリングのための方法の第１のフローチャートである。
【００２５】
【図３】本発明の実施形態に従った、無線周波数デバイスのペアリングのための方法の第２のフローチャートである。
【００２６】
【図４】本発明の実施形態に従った、無線周波数デバイスのペアリングのための方法の第３のフローチャートである。
【００２７】
【図５】本発明の実施形態に従った、無線周波数デバイス側の概略構成図である。
【００２８】
【図６】本発明の実施形態に従った、別の無線周波数デバイス側の概略構成図である。
【００２９】
【図７】本発明の実施形態に従った、無線周波数デバイス側の概略構成図である。
【００３０】
【図８】本発明の実施形態に従った、他の無線周波数デバイス側の概略構成図である。
【００３１】
【図９】本発明の実施形態に従った、無線周波数デバイスのペアリングのためのシステムの概略構成図である。
【発明を実施するための形態】
【００３２】
以下、本発明の実施形態において、本発明の実施形態の技術的解決策が、添付図面を参照して明確および完全に記載される。明らかに、記載される実施形態は本発明のすべてではなく、むしろ一部に過ぎない。当業者が、本発明の実施形態に基づいて創造的努力無しで取得できるすべての他の実施形態は、本発明の保護範囲に入る。
【００３３】
本発明の１実施形態において提供される、無線周波数デバイスのペアリングのための方法が図２において示されている。該方法が以下のステップを含む。
【００３４】
Ｓ２１：ユーザによって入力されたペアリング指示の受信後、第１の無線周波数デバイスは、発見要求メッセージを、少なくとも１つの第２の無線周波数デバイスに送信する。
【００３５】
ユーザによって入力されたペアリング指示の受信後、第１の無線周波数デバイスは、発見要求メッセージを、少なくとも１つの第２の無線周波数デバイスに、ブロードキャスト方式で送信する。もし、所定期間の時間内に、第１の無線周波数デバイスが、いずれの第２の無線周波数デバイスからの応答を受信しないならば、第１の無線周波数デバイスは、発見要求メッセージを繰り返し送信し得る。１以上の第２の無線周波数デバイスが存在し得る。第１の無線周波数デバイスは、ＲＦリモートコントローラであり得る。そして、第２の無線周波数デバイスはセットトップボックスであり得る。
【００３６】
Ｓ２２：第１の無線周波数デバイスは、少なくとも１つの第２の無線周波数デバイスによって返信された発見応答メッセージを受信する。
【００３７】
Ｓ２３：第１の無線周波数デバイスは、第１のペアリング要求メッセージを、少なくとも１つの第２の無線周波数デバイスの中の、対象となる第２の無線周波数デバイスに送信する。
【００３８】
Ｓ２４：第１の無線周波数デバイスは、対象となる第２の無線周波数デバイスによって返信された第１のペアリング応答メッセージを受信する。
【００３９】
第１の無線周波数デバイスによって送信された第１のペアリング要求メッセージを受信後、対象となる第２の無線周波数デバイスは、第１のペアリング応答メッセージを、第１の無線周波数デバイスに返信し、表示インターフェイス上にインターフェイス情報を表示する。ここで、インターフェイス情報は、後続の確認処理においてユーザによって入力される必要のあるボタンについてのプロンプトを与えるプロンプト情報である。
【００４０】
Ｓ２５：対象となる第２の無線周波数デバイスによって表示されたインターフェイス情報に従ってユーザによって入力されたボタン指示の受信後、第１の無線周波数デバイスは、第２のペアリング要求メッセージを対象となる第２の無線周波数デバイスに送信する。ここで、第２のペアリング要求メッセージは、ボタン指示に対応するボタン情報を含む。
【００４１】
第１の無線周波数デバイスによって送信された第１のペアリング要求メッセージの受信後、対象となる第２の無線周波数デバイスは、第１のペアリング応答メッセージを第１の無線周波数デバイスに返信し、インターフェイス情報を表示インターフェイス上に表示し、ユーザによって入力される必要のあるボタンについてのプロンプトを与え、ユーザは、プロンプト情報に従って、指定されたボタンを入力する。
【００４２】
Ｓ２６：第１の無線周波数デバイスは、対象となる第２の無線周波数デバイスによって返信され、確認結果を含む、第２のペアリング応答メッセージを受信する。
【００４３】
第２のペアリング応答メッセージ中に含まれる確認結果は、ボタン情報とインターフェイス情報との整合の結果が成功か失敗かを示すことができる。
【００４４】
Ｓ２７：確認結果を含む第２のペアリング応答メッセージを、第１の無線周波数デバイスが受信後、そしてもし、確認結果が、ボタン情報とインターフェイス情報とが成功裏に整合することを示すならば、第１の無線周波数デバイスは、対象となる第２の無線周波数デバイスとキーを交換し、それによって、対象となる第２の無線周波数デバイスとのペアリングを完了する。
【００４５】
さらに、第１の無線周波数デバイスが、対象となる第２の無線周波数デバイスとキーを交換後、第１の無線周波数デバイスは、ペアリングの成功をユーザ端にプロンプトし得、例えば、第１の無線周波数デバイスは、デバイス上のインジケータライトを通して、ペアリングの成功をユーザ端にプロンプトし得、また、ペアリングの成功をユーザ端にプロンプトしないこともし得る。これらは、本発明において制限されない。
【００４６】
本発明の実施形態において提供される、無線通信デバイスペアリングのための方法において、ＲＦ４ＣＥ仕様書を満たすペアリング要求メッセージ（第１および第２のペアリング要求メッセージを含む）およびペアリング応答メッセージ（第１および第２のペアリング応答メッセージを含む）が、ペアリングを要求し、ペアリング結果を確認するために使用される。これにより、従来技術におけるプライベートメッセージの使用が避けられ、従って、無線周波数デバイス製品の標準化にとって有益である。ペアリングボタンの無い無線周波数デバイスのために、ペアリングセキュリティもまた改善することができる。
【００４７】
本発明の他の実施形態において提供される無線周波数デバイスのペアリングのための方法が図３に示されている。該方法は以下のステップを含む。
【００４８】
Ｓ３１：第２の無線周波数デバイスが、第１の無線周波数デバイスによって送信された発見要求メッセージを受信する。
【００４９】
１以上の無線周波数デバイスが存在し得る。複数の第２の無線周波数デバイスが存在するとき、複数の第２の無線周波数デバイスは、第１の無線周波数デバイスによって送信された発見要求メッセージを同時に受信し得る。
【００５０】
Ｓ３２：第２の無線周波数デバイスは、発見応答メッセージを第１の無線周波数デバイスに返信する。
【００５１】
具体的には、第１の無線周波数デバイスによって送信された発見要求メッセージの受信後、少なくとも１つの第２の無線周波数デバイスが、発見応答メッセージを第１の無線周波数デバイスに返信する。
【００５２】
Ｓ３３：第１の無線周波数デバイスによって送信された第１のペアリング要求メッセージの受信後、第２の無線周波数デバイスはインターフェイス情報を表示する。ここで、インターフェイス情報は、ユーザによって入力される必要のあるボタンについてのプロンプトを与えるプロンプト情報である。
【００５３】
具体的には、第１の無線周波数デバイスによって送信された第１のペアリング要求メッセージの受信後、少なくとも１つの第２の無線周波数デバイスの中の対象となる第２の無線周波数デバイスは、後続の確認処理においてユーザによって入力される必要のあるボタンについてのプロンプトを与えるプロンプト情報を含むインターフェイス情報を表示する。なお、本実施形態において、ステップＳ３３からＳ３７における第２の無線周波数デバイスは、少なくとも１つの第２の無線周波数デバイスの中の対象となる第２の無線周波数デバイスを指す。第１の無線周波数デバイスが、１つの第２の無線周波数デバイスによって返信された発見応答メッセージを受信するだけのとき、その第２の無線周波数デバイスが対象となる第２の無線周波数デバイスである。第１の無線周波数デバイスが、複数の第２の無線周波数デバイスによって返信された発見応答メッセージを受信するとき、対象となる第２の無線周波数デバイスは、第２の無線周波数デバイスのメーカ番号と、第２の無線周波数デバイスによってサポートされる無線周波数デバイスの能力のリストとを整合することにより第１の無線周波数デバイスによって選択された第２の無線周波数デバイスである。ここで、メーカ番号とリストは、各発見応答メッセージの中に含まれ、選択された第２の無線周波数デバイスは、第１の無線周波数デバイスと整合するメーカ番号とリストを備えており、最も強力な発見応答メッセージを返信する。
【００５４】
さらに、第１の無線周波数デバイスによって送信された第１のペアリング要求メッセージの受信後、対象となる第２の無線周波数デバイスは、後続の確認処理においてユーザによって入力される必要のあるボタンについてのプロンプトを与えるプロンプト情報を含むインターフェイス情報を表示する。確認処理は、本発明の実施形態において提供されるペアリング方法に対応するペアリング処理全体の一部である。インターフェイス情報は、ユーザが既にペアリング処理における確認を開始したことを示し、ステップＳ３４からＳ３７を実行することにより確認処理を完了する。無線通信デバイスのペアリング処理における確認を開始し、確認処理を完了することにより、無線通信デバイスのペアリング処理において、誤ったペアリングおよび正しくない操作を回避し得る。このように、ペアリングフローは加速され、不要な操作は削減される。
【００５５】
Ｓ３４：第２の無線周波数デバイスは、第１のペアリング応答メッセージを第１の無線周波数デバイスに返信する。
【００５６】
さらに、第２の無線周波数デバイスによって第１の無線周波数デバイスに返信される第１のペアリング応答メッセージは、インターフェイス情報に対応する関連情報を含むかもしれず、また、関連情報を含まないかもしれず、それは、本発明において制限されない。
【００５７】
ステップＳ３４における第１のペアリング応答メッセージを返信する動作と、ステップＳ３３におけるインターフェイス情報を表示する動作は、２つとも、第１の無線周波数デバイスによって送信された第１のペアリング要求メッセージの、第２の無線周波数デバイスによる受信後に生じる。２つの動作は、逐次生じても良いし、同時に生じても良い。２つの時間順序は本発明の実施形態において制限されない。
【００５８】
Ｓ３５：第２の無線周波数デバイスは、第１の無線周波数デバイスによって送信された第２のペアリング要求メッセージを受信する。第２のペアリング要求メッセージは、第２の無線周波数デバイスによって表示されたインターフェイス情報に従って、ユーザによって入力されたボタン指示に対応するボタン情報を含む。ここで、インターフェイス情報は、後続の確認処理においてユーザによって入力される必要のあるボタンについてのプロンプトを与えるプロンプト情報である。第１の無線周波数デバイスは、第２の無線周波数デバイスによって返信された第１のペアリング応答メッセージを受信し、第２の無線周波数デバイスによって表示されたインターフェイス情報に従ってユーザによって入力されたボタン指示を受信後、第２のペアリング要求メッセージを第２の無線周波数デバイスに送信する。ここで、第２のペアリング要求メッセージは、ボタン指示に対応するボタン情報を含む。
【００５９】
Ｓ３６：インターフェイス情報に従ってユーザによって入力されたボタン指示に対応するボタン情報を含む第２のペアリング要求メッセージの受信後、そしてもし、ボタン情報とインターフェイス情報とが成功裏に整合すると決定されるならば、第２の無線周波数デバイスは、第１の無線周波数デバイスに、確認結果を含む第２のペアリング応答メッセージを返信する。ここで、確認結果は、ボタン情報とインターフェイス情報とが成功裏に整合したことを示す。
【００６０】
第２のペアリング応答メッセージの中に含まれる確認結果は、ボタン情報とインターフェイス情報との整合の結果が成功か失敗かを示すことができる。
【００６１】
Ｓ３７：第２の無線周波数デバイスは、第１の無線周波数デバイスとキーを交換し、ユーザ端にペアリングの成功をプロンプトする。
【００６２】
本発明の実施形態において提供される無線周波数デバイスのペアリングのための方法において、ＲＦ４ＣＥ仕様書を満たすペアリング要求メッセージ（第１および第２のペアリング要求メッセージを含む）およびペアリング応答メッセージ（第１および第２のペアリング応答メッセージを含む）が、ペアリングを要求し、ペアリング結果を確認するために使用される。これは、無線周波数デバイス製品の標準化にとって有益である。ペアリングボタンの無い無線周波数デバイスのために、ペアリングセキュリティもまた改善することができる。
【００６３】
図４において示されるように、本発明のさらに他の実施形態において提供される無線周波数デバイスのペアリングのための方法において、ＲＦリモートコントローラ（第１の無線周波数デバイス）とセットトップボックス（第２の無線周波数デバイス）が説明の例として取り上げられている。セットトップボックスは、テレビに接続されており、テレビはインターフェイスを表示するために使用される。該方法は以下のステップを含む。
【００６４】
Ｓ４０１：ユーザは、ペアリングのための、ＲＦリモートコントローラ上にある、ボタンを押下する。ユーザによって入力されたペアリング指示を受信後、ＲＦリモートコントローラは発見要求メッセージをセットトップボックスに送信する。
【００６５】
ＲＦリモートコントローラは、発見要求メッセージをブロードキャスト方式で送信し得る。こうして、或る範囲内に在る複数の被コントロールデバイスが、すべて発見要求メッセージを受信し得る。もし、所定期間の時間内に、ＲＦリモートコントローラが被コントロールデバイスによって返信される応答を受信しないならば、ＲＦリモートコントローラは、発見要求メッセージを繰り返し送信し得る。
【００６６】
オプション的に、被コントロールデバイスはセットトップボックスであり得る。
【００６７】
この実施形態において、まず第１に、被コントロールデバイスは唯一のセットトップボックスであり、セットトップボックスは、対象となるセットトップボックスである。
【００６８】
Ｓ４０２：ＲＦリモートコントローラによって送信された発見要求メッセージを受信後、対象となるセットトップボックスは、発見応答メッセージをＲＦリモートコントローラに返信する。具体的には、ＲＦリモートコントローラから送信された発見要求メッセージを対象となるセットトップボックスが受信後、対象となるセットトップボックスは、発見応答メッセージをＲＦリモートコントローラに返信し、受信した発見要求メッセージに対して応答する。対象となるセットトップボックスによって送信される発見応答メッセージは、繰り返し送信されないかもしれないが、それは、本発明において制限されるものではない。
【００６９】
Ｓ４０３：対象となるセットトップボックスによって返信された発見応答メッセージの受信後、ＲＦリモートコントローラは、第１のペアリング要求メッセージを対象となるセットトップボックスに送信する。
【００７０】
さらに、ＲＦリモートコントローラとペアリングされ得る複数のデバイスが或る範囲内に存在するときは、ＲＦリモートコントローラによってブロードキャストされた発見要求メッセージの受信後、各デバイスは、発見応答メッセージをＲＦリモートコントローラに返信し得る。複数のデバイスによって返信された発見応答メッセージを受信するとき、デバイスのメーカ番号とデバイスによってサポートされるＲＦリモートコントローラの能力のリストとを整合することにより（メーカ番号およびリストは各デバイスによって返信された発見応答メッセージの中に含まれている）、ＲＦリモートコントローラは、ＲＦリモートコントローラと整合するデバイスのメーカ番号を持つデバイスを候補デバイスとして選択し得、そして、候補デバイスの中から、ＲＦリモートコントローラの能力と整合するリストを備え、信号強度の最も強い発見応答メッセージを持つ１つのデバイスを、ペアリングのための対象となるデバイスとして選択し、ステップＳ４０３からＳ４０８を実行する。
【００７１】
Ｓ４０４：ＲＦリモートコントローラによって送信された第１のペアリング要求メッセージを受信後、対象となるセットトップボックスは、テレビを通してインターフェイス情報を表示し（インターフェイス情報は、ユーザによって入力される必要のあるボタンについてのプロンプトを与えるプロンプト情報である。）、第１のペアリング応答メッセージをＲＦリモートコントローラに返信する。
【００７２】
このステップにおいて、テレビは、ＲＦリモートコントローラを通してユーザによって入力される必要のあるボタン情報を表示し得、整合確認を実行するために使用され等する。
【００７３】
さらに、このステップにおいて、第１のペアリング応答メッセージをＲＦリモートコントローラに返信後、対象となるセットトップボックスはタイマーを開始し得、そして、もし、ＲＦリモートコントローラによって送信され、ボタン指示に対応するボタン情報を含む、第２のペアリング要求メッセージが、所定期間の時間内に受信されないならば、ペアリング処理から抜ける。このように、システムの堅牢性が向上し得、ユーザの誤操作が効果的に処理され得る。
【００７４】
Ｓ４０５：対象となるセットトップボックスによって返信された第１のペアリング応答メッセージの受信後、そして、テレビによって表示されたインターフェイス情報に従ってユーザによって入力されたボタン指示の受信後、ＲＦリモートコントローラは、第２のペアリング要求メッセージを対象となるセットトップボックスに送信する。ここで、第２のペアリング要求メッセージは、ボタン指示に対応するボタン情報を含む。
【００７５】
具体的には、テレビによって表示されたボタン情報を見た後、ユーザは対応するボタン指示を押下する。ここで、ボタン指示は、リモートコントローラ上の番号ボタン、方向ボタン、機能ボタン等であり得る。テレビの表示インターフェイスに従ってユーザによって入力されたボタン指示の受信後、ＲＦリモートコントローラは、対象となるセットトップボックスに、ボタン指示に対応するボタン情報を含む第２のペアリング要求メッセージを送信する。
【００７６】
さらに、このステップにおいて、ＲＦリモートコントローラが、対象となるセットトップボックスに、ボタン指示に対応するボタン情報を含む第２のペアリング要求メッセージを送信するとき、ＲＦリモートコントローラと対象となるセットトップボックスは、ボタン情報の連続的で信頼性のある伝送を確保し、過度の異常状態の発生を防ぐために、リンクレイヤにおけるシンプルウインドウの仕組みを使用し得る。
【００７７】
加えて、このステップにおいて、対象となるセットトップボックスによって返信された第１のペアリング応答メッセージの受信後、ＲＦリモートコントローラはまた、タイマを開始し得、そしてもし、所定期間の時間内に、ユーザによって入力されたボタン指示をＲＦリモートコントローラが受信しないならば、ペアリング処理を抜ける。このように、システムの堅牢性が向上し得、ユーザの誤操作が効果的に処理され得る。
【００７８】
Ｓ４０６：ＲＦリモートコントローラによって送信され、ボタン指示に対応するボタン情報を含む第２のペアリング要求メッセージの受信後、対象となるセットトップボックスは、ボタン情報についての確認のマッチングを実行する。もし、対象となるセットトップボックスが、ボタン情報とインターフェイス情報が成功裏に整合すると判定するならば、確認成功結果を含む第２のペアリング応答メッセージがＲＦリモートコントローラに返信される。ここで、確認成功結果は、ボタン情報とインターフェイス情報とが成功裏に整合することを示す。そして、ステップＳ４０７が実行される。ここで、確認成功結果は、成功確認メッセージであり得る。
【００７９】
対象となるセットトップボックスが、ボタン情報とインターフェイス情報が成功裏に整合すると判定するとき、確認結果を含む第２のペアリング応答メッセージがＲＦリモートコントローラに返信される。ここで、確認結果は、ボタン情報とインターフェイス情報とが成功裏に整合することを示し、確認成功結果として参照され得る。
【００８０】
図４は、単に、成功裏の確認の状況を模式的に示す。確認が失敗するとき、図におけるステップＳ４０６およびＳ４０７は、以下の内容によって置き換えられ得る：もし、対象となるセットトップボックスが、ボタン情報とインターフェイス情報とが整合しないと判定するならば、確認失敗メッセージを含む第２のペアリング応答メッセージが、ＲＦリモートコントローラに返信され、ステップＳ４０８が実行される。
【００８１】
加えて、もし、対象となるセットトップボックスが、ステップＳ４０３の後、ＲＦリモートコントローラによって送信された第１のペアリング要求メッセージを受信し、そしてもし、ＲＦリモートコントローラのペアリング情報が、対象となるセットトップボックス内に既に格納されていると判定するならば、確認結果を含む第２のペアリング応答メッセージは、直接ＲＦリモートコントローラに返信される。ここで、確認結果は、ペアリングの成功を示す。ＲＦリモートコントローラとキーが交換され、ユーザ端はペアリングの成功をプロンプトされる。このように、ステップＳ４０４およびＳ４０５は省略され得、それによって、ペアリング処理を加速する。
【００８２】
Ｓ４０７：ＲＦリモートコントローラは、対象となるセットトップボックスとキーを交換する。キーの交換後、対象となるセットトップボックスは、ペアリングの成功をユーザ端にプロンプトし得る。例えば、ペアリングの成功をプロンプトする情報が、対象となるセットトップボックスに接続されたテレビによって表示される。対象となるセットトップボックスによって返信され、確認結果を含む、第２のペアリング応答メッセージをＲＦリモートコントローラが受信後、そしてもし、確認結果が、ボタン情報とインターフェイス情報とが成功裏に整合することを示すならば、ＲＦリモートコントローラは、対象となるセットトップボックスとキーを交換し、これによって、対象となるセットトップボックスとのペアリングを完了する。
【００８３】
なお、本発明の実施形態において、ＲＦリモートコントローラが対象となるセットトップボックスとキーを交換後、ＲＦリモートコントローラは、ペアリングの成功をユーザ端にプロンプトし得、そして、例えば、リモートコントローラ上のインジケータライトを通して、ペアリングの成功をユーザ端にプロンプトし得、そしてまた、ペアリングの成功をユーザ端にプロンプトしないこともし得、それは本発明において制限されない。
【００８４】
加えて、ＲＦリモートコントローラが第１のペアリング要求メッセージを対象となるセットトップボックスに送信後、もし、対象となるセットトップボックスが、ＲＦリモートコントローラのペアリング情報が既に格納されていると判定するならば、対象となるセットトップボックスは直接、ＲＦリモートコントローラに、確認結果を含む第２のペアリング応答メッセージを返信し（確認結果はペアリングの成功を示す）、ＲＦリモートコントローラは、対象となるセットトップボックスとキーを交換し、ユーザ端にペアリングの成功をプロンプトする。ＲＦリモートコントローラと対象となるセットトップボックスが、一度成功裏にペアリングを実行した後は、ＲＦリモートコントローラに対応するペアリング情報が、対象となるセットトップボックス内に格納され得る。その後、ＲＦリモートコントローラと対象となるセットトップボックスがペアリングを実行するたびに、ＲＦリモートコントローラが第１のペアリング要求メッセージを対象となるセットトップボックスに送信後、もし、対象となるセットトップボックスが、ＲＦリモートコントローラのペアリング情報が既に格納されていることを発見するならば、ペアリングの成功を示す確認結果を含む第２のペアリング応答メッセージが、直接リモートコントローラに送信され、リモートコントローラとキーが交換され、そして、ユーザ端は、ペアリングの成功をプロンプトされ、これによって、ペアリング処理が単純化される。ＲＦリモートコントローラのペアリング情報は、アドレス情報およびＲＦリモートコントローラのペアリング参照等の情報を含み、さらに他の対応するペアリング情報を含み得る。本発明の実施形態におけるＲＦリモートコントローラのペアリング情報は、従来技術におけるペアリング情報なので、本発明の実施形態において、詳細は再度説明されない。このシナリオにおいて、ペアリング処理は単純化され、ＲＦリモートコントローラと対象となるセットトップボックスが、一度成功裏にペアリングを実行した後は、ＲＦリモートコントローラと対象となるセットトップボックスのペアリング処理のたびに、このシナリオが起こり得る。
【００８５】
なお、ＲＦリモートコントローラは、セットトップボックスに、テレビによって表示されたインターフェイス情報に従って、インターフェイス情報に従ってユーザによって入力されたボタン指示に対応するボタン情報を含む第２のペアリング要求メッセージを送信し、セットトップボックスは、インターフェイス情報に従ってユーザによって入力されたボタン指示に対応するボタン情報を含みＲＦリモートコントローラによって送信された第２のペアリング要求メッセージの受信後、ＲＦリモートコントローラに、確認成功結果を含む第２のペアリング応答メッセージを返信する。この処理において、セットトップボックスが、ボタン情報が正しいことを送信される確認結果が示すと判定する前に、該送信は何回か繰り返され得る。お互いの間の情報送信は、セットトップボックスが、ボタン情報とインターフェイス情報が成功裏に整合することを送信される確認結果が示すと判定するまで止まらない。
【００８６】
Ｓ４０８：対象となるセットトップボックスによって返信され、確認失敗メッセージを含む第２のペアリング応答メッセージの受信後、ＲＦリモートコントローラは、キーの交換を止め、ペアリング処理を抜ける。
【００８７】
ＲＦリモートコントローラとセットトップボックスは、この実施形態における説明のための例として取り上げられたものであり、この実施形態において提供される方法は、それに限定されず、無線周波数クラスタマシーン（cluster  machine）等の他の無線周波数デバイス間のペアリング処理にも適用可能である。
【００８８】
本発明の実施形態において提供される無線周波数デバイスのペアリングのための方法において、ＲＦ４ＣＥ仕様書を満たすペアリング要求メッセージ（第１および第２のペアリング要求メッセージを含む）およびペアリング応答メッセージ（第１および第２のペアリング応答メッセージを含む）が、ペアリングを要求し、ペアリング結果を確認するために使用される。これにより、従来技術におけるプライベートメッセージの使用が避けられ、無線周波数デバイス製品の標準化にとって有益である。ペアリングボタンの無い無線周波数デバイスのために、ペアリングセキュリティもまた改善することができる。
【００８９】
本発明の１実施形態において提供される無線周波数デバイス５０は、上述の方法の実施形態に対応する。無線周波数デバイスの各機能部は、上述の方法のステップの中で使用され得る。図５に示されるように、無線周波数デバイス５０は：
ユーザによって入力されたペアリング指示を受信するように構成されたユーザ指示受信部５１と、
ユーザによって入力されたペアリング指示をユーザ指示受信部５１が受信後、発見要求メッセージを少なくとも１つの第２の無線周波数デバイスに送信するように構成された発見要求送信部５２と、
少なくとも１つの第２の無線周波数デバイスによって返信された発見応答メッセージを受信するように構成された発見応答受信部５３と、
第１のペアリング要求メッセージを、少なくとも１つの第２の無線周波数デバイスの中の対象となる第２の無線周波数デバイスへ送信するように構成された第１のペアリング要求送信部５４と、
対象となる第２の無線周波数デバイスによって返信された第１のペアリング応答メッセージを受信するように構成された第１のペアリング応答受信部５５と、
対象となる第２の無線周波数デバイスによって表示されたインターフェイス情報に従ってユーザによって入力されたボタン指示の受信後、第２のペアリング要求メッセージを対象となる第２の無線周波数デバイスに送信するように構成された第２のペアリング要求送信部５６であり、第２のペアリング要求メッセージは、ボタン指示に対応するボタン情報を含み、インターフェイス情報は、ユーザによって入力される必要のあるボタンについてのプロンプトを与えるプロンプト情報である、第２のペアリング要求送信部５６と、
確認結果を含み、対象となる第２の無線周波数デバイスによって返信される第２のペアリング応答メッセージを受信するように構成された第２のペアリング応答受信部５７と、
もし、確認結果が、ボタン情報とインターフェイス情報が成功裏に整合することを示すなら、対象となる第２の無線周波数デバイスとキーを交換し、ユーザ端にペアリングの成功をプロンプトするように構成された第１のキー交換部５８と、を含む。
【００９０】
本発明の実施形態において提供される無線周波数デバイスにおいて、ＲＦ４ＣＥ仕様書を満たすペアリング要求メッセージ（第１および第２のペアリング要求メッセージを含む）およびペアリング応答メッセージ（第１および第２のペアリング応答メッセージを含む）が、ペアリングを要求し、ペアリング結果を確認するために使用される。これにより、従来技術におけるプライベートメッセージの使用が避けられ、無線周波数デバイス製品の標準化にとって有益である。ペアリングボタンの無い無線周波数デバイスのために、ペアリングセキュリティもまた改善することができる。
【００９１】
さらに、図６において示されるように、無線周波数デバイス５０はさらに：
対象となる第２の無線周波数デバイスによって返信される第１のペアリング応答メッセージの受信後に開始するように構成された第１のタイミング部５９であり、もし、ユーザによって入力されるボタン指示が、所定期間の時間内に受信されないならば、ペアリング処理を抜ける、第１のタイミング部５９を含む。このように、システムの堅牢性が向上し得、ユーザの誤操作が効果的に処理され得る。
【００９２】
無線周波数デバイス５０は、第１の無線周波数デバイスであり得る。発見応答受信部５３はさらに、複数の第２の無線周波数デバイスが存在するとき、そして、複数の第２の無線周波数デバイスによって返信された発見応答メッセージを受信するとき、第２の無線周波数デバイスのメーカ番号と、第２の無線周波数デバイスによってサポートされる無線周波数デバイスの能力のリストとを整合することにより、第２の無線周波数デバイスを、対象となる第２の無線周波数デバイスとして選択するように構成される（メーカ番号とリストは、各発見応答メッセージ内に含まれ、選択された第２の無線周波数デバイスは、第１の無線周波数デバイスと整合するメーカ番号と能力のリストとを持つとともに最高の強度で発見応答メッセージを返信する）。
【００９３】
第２のペアリング応答受信部５７はさらに、第１のペアリング要求送信部５４が、第１のペアリング要求メッセージを、少なくとも１つの第２の無線周波数デバイスの中の対象となる第２の無線周波数デバイスに送信後、確認結果を含み、対象となる第２の無線周波数デバイスによって返信される第２のペアリング応答メッセージを受信するように構成される（確認結果は、ペアリングの成功を示す）。
【００９４】
第１のキー交換部５８はさらに、第２のペアリング応答受信部５７が、ペアリングの成功を示す確認結果を含む第２のペアリング応答メッセージを受信後、対象となる第２の無線周波数デバイスとキーを交換し、ユーザ端にペアリングの成功をプロンプトするように構成される。
【００９５】
本発明の他の実施形態において提供される無線周波数デバイス７０は、上述の方法の実施形態に対応する。無線周波数デバイスの各機能部は、上述の方法のステップにおいて使用され得る。図７において示されるとおり、無線周波数デバイス７０は、以下のものを含む。
【００９６】
発見要求受信部７１は、第１の無線周波数デバイスによって送信される発見要求メッセージを受信するように構成される。
【００９７】
発見応答返信部７２は、発見応答メッセージを第１の無線周波数デバイスに返信するように構成される。
【００９８】
第１のペアリング要求受信部７３は、第１の無線周波数デバイスによって送信される第１のペアリング要求メッセージを受信するように構成される。
【００９９】
表示部７４は、第１のペアリング要求受信部７３が第１の無線周波数デバイスによって送信された第１のペアリング要求メッセージを受信後、インターフェイス情報を表示するように構成される。ここで、インターフェイス情報は、ユーザによって入力される必要のあるボタンについてのプロンプトを与えるプロンプト情報である。
【０１００】
第１のペアリング応答返信部７５は、第１のペアリング応答メッセージを第１の無線周波数デバイスに返信するように構成され、具体的には、第１のペアリング要求受信部７３が、第１の無線周波数デバイスによって送信された第１のペアリング要求メッセージを受信後、第１のペアリング応答メッセージを第１の無線周波数デバイスに返信するように構成される。
【０１０１】
表示部７４のインターフェイス情報の表示と、第１のペアリング応答返信部７５の第１のペアリング応答メッセージの返信の２つの動作は、いずれも、第１のペアリング要求メッセージ受信部７３が、第１の無線周波数デバイスによって送信された第１のペアリング要求メッセージを受信した後に発生する。２つの動作は、引き続いて発生し得、また、同時に発生し得る。２つの動作の時間順序は本発明の実施形態において制限されない。
【０１０２】
第２のペアリング要求受信部７６は、第１の無線周波数デバイスによって送信された第２のペアリング要求メッセージを受信するように構成される。ここで、第２のペアリング要求メッセージは、インターフェイス情報に従ってユーザによって入力されるボタン指示に対応するボタン情報を含む。
【０１０３】
第２のペアリング応答返信部７７は、もし、ボタン情報とインターフェイス情報が成功裏に整合するならば、第１の無線周波数デバイスに、確認結果を含む第２のペアリング応答メッセージを返信するように構成される。ここで、確認結果は、ボタン情報とインターフェイス情報が成功裏に整合することを示す。
【０１０４】
第２のキー交換部７８は、第２のペアリング応答返信部７７が、ボタン情報とインターフェイス情報が成功裏に整合することを示す確認結果を含む第２のペアリング応答メッセージを返信後、第１の無線周波数デバイスとキーを交換し、ユーザ端にペアリングの成功をプロンプトするように構成される。
【０１０５】
本発明の実施形態において提供される無線周波数デバイスにおいて、ＲＦ４ＣＥ仕様書を満たすペアリング要求メッセージ（第１および第２のペアリング要求メッセージを含む）およびペアリング応答メッセージ（第１および第２のペアリング応答メッセージを含む）が、ペアリングを要求し、ペアリング結果を確認するために使用される。これにより、従来技術におけるプライベートメッセージの使用が避けられ、無線周波数デバイス製品の標準化にとって有益である。ペアリングボタンの無い無線周波数デバイスのために、ペアリングセキュリティもまた改善することができる。
【０１０６】
さらに、図７において示されるように、無線周波数デバイス７０はさらに、
第１のペアリング応答返信部７５が、第１のペアリング応答メッセージを第１の無線周波数デバイスに返信後、開始するように構成される第２のタイミング部７９を含む（インターフェイス情報に従ってユーザによって入力されるボタン指示に対応するボタン情報を含み、第１の無線周波数デバイスによって送信される第２のペアリング要求メッセージを、第２のペアリング要求受信部７６が、所定期間の時間内に受信しないならば、ペアリングのフローを抜ける）。このように、システムの堅牢性が向上し得、ユーザの誤操作が効果的に処理され得る。
【０１０７】
さらに、図７において示されるように、無線周波数デバイス７０はさらに、
第１のペアリング要求受信部７３が、第１の無線周波数デバイスによって送信される第１のペアリング要求メッセージを受信後、無線周波数デバイスが、第１の無線周波数デバイスのペアリング情報を格納しているか否かを判定するように構成された判定部７１０を含む。表示部７４はさらに、第１のペアリング要求受信部７３が、第１の無線周波数デバイスによって送信される第１のペアリング要求メッセージを受信後、判定部７１０が、無線周波数デバイスが第１の無線周波数デバイスのペアリング情報を格納していないと判定するとき、インターフェイス情報を表示するように構成される。第１のペアリング応答返信部７５はさらに、第１のペアリング要求受信部７３が、第１の無線周波数デバイスによって送信される第１のペアリング要求メッセージを受信後、そして、判定部７１０が、無線周波数デバイスが、第１の無線周波数デバイスのペアリング情報を格納していないと判定するとき、第１のペアリング応答メッセージを第１の無線周波数デバイスに返信するように構成される。
【０１０８】
本発明の１実施形態において、図８において示されるように、第２のペアリング応答返信部７７はさらに、判定部７１０が、第１の無線周波数デバイスのペアリング情報を格納していると判定するとき、第１の無線周波数デバイスに、確認結果を含む第２のペアリング応答メッセージを返信するように構成される。ここで、確認結果はペアリングの成功を示す。
【０１０９】
第２のキー交換部７８はさらに、第２のペアリング応答返信部７７が、ペアリングの成功を示す確認結果を含む第２のペアリング応答メッセージを返信後、第１の無線周波数デバイスとキーを交換し、ユーザ端にペアリングの成功をプロンプトするように構成される。このように、ペアリング処理が加速される。
【０１１０】
本発明の１実施形態において提供される無線周波数デバイスのペアリングのためのシステムは、上述の方法の実施形態およびデバイスの実施形態に対応する。図９に示されるように、システムは以下のものを含む。
【０１１１】
第１の無線周波数デバイス９１は、ユーザによって入力されたペアリング指示の受信後、発見要求メッセージを少なくとも１つの第２の無線周波数デバイス９２に送信し；少なくとも１つの第２の無線周波数デバイス９２によって返信される発見応答メッセージを受信し；第１のペアリング要求メッセージを、少なくとも１つの第２の無線周波数デバイス９２の中の対象となる第２の無線周波数デバイス９２に送信し；対象となる第２の無線周波数デバイス９２によって返信される第１のペアリング応答メッセージを受信し；対象となる第２の無線周波数デバイス９２によって表示されたインターフェイス情報に従ってユーザによって入力されたボタン指示の受信後、第２のペアリング要求メッセージを、対象となる第２の無線周波数デバイス９２に送信し（第２のペアリング要求メッセージは、ボタン指示に対応するボタン情報を含み）；確認結果を含み、対象となる第２の無線周波数デバイス９２によって返信される第２のペアリング応答メッセージを受信し；もし、確認結果が、ボタン情報とインターフェイス情報が成功裏に整合するならば、対象となる第２の無線周波数デバイス９２とキーを交換し、ユーザ端にペアリングの成功をプロンプトするように構成される。
【０１１２】
第２の無線周波数デバイス９２は、第１の無線周波数デバイス９１によって送信される発見要求メッセージを受信後、発見応答メッセージを第１の無線周波数デバイス９１に返信し；第１の無線周波数デバイス９１によって送信される第１のペアリング要求メッセージを受信後、第１のペアリング応答メッセージを第１の無線周波数デバイス９１に返信し、インターフェイス情報を表示し（インターフェイス情報は、ユーザによって入力される必要のあるボタンについてのプロンプトを与えるプロンプト情報である）；第１の無線周波数デバイス９１によって送信される第２のペアリング要求メッセージを受信し（第２のペアリング要求メッセージは、インターフェイス情報に従ってユーザによって入力されたボタン指示に対応するボタン情報を含み、インターフェイス情報は、ユーザによって入力される必要のあるボタンについてのプロンプトを与えるプロンプト情報である）；もし、ボタン情報とインターフェイス情報が成功裏に整合すると判定されるならば、第１の無線周波数デバイス９１に、確認結果を含む第２のペアリング応答メッセージを返信し；第１の無線周波数デバイス９１とキーを交換し、ユーザ端にペアリングの成功をプロンプトするように構成されている。
【０１１３】
さらに、上述の第１の無線周波数デバイス９１の具体的な構造は、上述の実施形態において提供される無線周波数デバイス５０の構造と同じであり、第２の無線周波数デバイス９２の具体的な構造は、上述の実施形態において提供される無線周波数デバイス７０の構造と同じであり、それらについては本明細書において再度詳しく説明しない。システムの各無線周波数デバイスの各機能部は、上述の方法の実施形態における方法のステップにおいて使用され得る。
【０１１４】
本発明の実施形態において提供される無線周波数デバイスのペアリングのためのシステムにおいて、ＲＦ４ＣＥ仕様書を満たすペアリング要求メッセージ（第１および第２のペアリング要求メッセージを含む）およびペアリング応答メッセージ（第１および第２のペアリング応答メッセージを含む）が、ペアリングを要求し、ペアリング結果を確認するために使用される。これにより、従来技術におけるプライベートメッセージの使用が避けられ、無線周波数デバイス製品の標準化にとって有益である。ペアリングボタンの無い無線周波数デバイスのために、ペアリングセキュリティもまた改善することができる。
【０１１５】
なお、この文書において、第１のおよび第２の、等の関係を表す用語は、単に、エンティティまたは操作を他のエンティティまたは操作と識別するために使用され、いかなる実際の関係、または、これらのエンティティまたは操作間の順序を要求する、または示唆するものではない。上述の記載は、本発明の単なる特定の実装に過ぎず、本発明の保護範囲を制限することを意図するものではない。本発明において開示された技術範囲内で当業者によって容易に導出することができるいかなる修正、バリエーション、または置換は、本発明の保護範囲内に入る。従って、本発明の保護範囲は、特許請求の範囲の保護範囲に従う。
【０１１６】
本出願は、２０１２年２月１０日に中国特許庁に出願された中国特許出願番号２０１２１００２９８０２．６の優先権を主張する。当該中国特許出願は、その全体が参照により本明細書に組み込まれる。
【図１】
0005919396.tif 000002
【図２】
0005919396.tif 000003
【図３】
0005919396.tif 000004
【図４】
0005919396.tif 000005
【図５】
0005919396.tif 000006
【図６】
0005919396.tif 000007
【図７】
0005919396.tif 000008
【図８】
0005919396.tif 000009
【図９】
0005919396.tif 000010